(57)【要約】【課題】ドアによって、スプラッシュガード等のカバーに形成された開口部を閉鎖する閉位置において、簡単な構造でドアを固定できる工作機械におけるドアの固定構造を提供する。【解決手段】工作機械の本体に設けたワークの加工空間をカバーで覆い、カバーに形成された開口部を開閉するドアを、本体に対して水平スライド移動可能に支持した工作機械において、ドアによって開口部が閉鎖される閉位置Ｐでドアを固定する工作機械におけるドアの固定構造であって、閉位置Ｐで、ドアが撓み変形したときに、互いに係止されてドアの水平スライド移動を阻止する折り返し部２７，３４，２３，３１を、カバーと、カバーに隣接するドアの端部とにそれぞれ形成した。【選択図】図３
2014094419.tif 000002
【特許請求の範囲】
【請求項１】
工作機械の本体に設けたワークの加工空間をカバーで覆い、前記カバーに形成された開口部を開閉するドアを、前記本体に対して水平スライド移動可能に支持した工作機械において、前記ドアによって前記開口部が閉鎖される閉位置で該ドアを固定する工作機械におけるドアの固定構造であって、
前記閉位置で、前記ドアが撓み変形したときに、互いに係止されて前記ドアの前記水平スライド移動を阻止する折り返し部を、前記カバーと、該カバーに隣接する前記ドアの端部とにそれぞれ形成したことを特徴とする工作機械におけるドアの固定構造。
【請求項２】
前記ドアを、前記水平スライド移動可能であって前記閉位置で互いに隣接して前記開口部を閉鎖可能な複数のドアで構成し、該複数のドアの内の一のドアで前記カバーの一部を形成して、
前記折り返し部を、前記一のドアの端部と、該端部に隣接する他の前記ドアの端部とにそれぞれ形成したことを特徴とする請求項１に記載の工作機械におけるドアの固定構造。
【発明の詳細な説明】
【技術分野】
【０００１】
この発明は、工作機械の本体に設けたワークの加工空間をカバーで覆い、ドアによって前記カバーに形成された開口部が閉鎖される閉位置で、前記ドアを固定する工作機械におけるドアの固定構造に関する。
【背景技術】
【０００２】
例えば特許文献１には、工作機械に設置されるスプラッシュガードのドアロック装置として、ドアの開閉操作だけで、ドアの解除操作と固定操作とを合わせて実行可能なものが開示されている。特許文献１のドアロック装置では、スプラッシュガードの開口部を開閉する２枚のドアを、スライド移動可能に設けて、一方のドアに、ばねの復元力が付与されたフック具を設置して、２枚のドアの閉操作によって前記フック具が、他方のドアの掛金具に自動係止されて２枚のドアを固定できる。これに加えて、前記一方のドアのドアグリップに設けた解除押棒の押し操作によって、前記フック具を前記掛金具から係止解除した状態で、２枚のドアを開操作することも可能になる。
【先行技術文献】
【特許文献】
【０００３】
【特許文献１】実開平６−９８５２号公報
【発明の概要】
【発明が解決しようとする課題】
【０００４】
しかしながら、上記のドアロック装置では、複数のドアを固定するためにフック具を掛金具に係止させる機構と、該固定を解除するためにフック具を掛金具から係止解除する機構とが別々に必要となることから、ドアを固定する構造が簡単であるとは言い難かった。
【０００５】
この発明は、このような状況に鑑み提案されたものであって、ドアによって、スプラッシュガード等のカバーに形成された開口部を閉鎖する閉位置において、簡単な構造で複数のドアを固定できる工作機械におけるドアの固定構造を提供することを目的とする。
【課題を解決するための手段】
【０００６】
請求項１の発明に係る工作機械におけるドアの固定構造は、工作機械の本体に設けたワークの加工空間をカバーで覆い、前記カバーに形成された開口部を開閉するドアを、前記本体に対して水平スライド移動可能に支持した工作機械において、前記ドアによって前記開口部が閉鎖される閉位置で該ドアを固定する工作機械におけるドアの固定構造であって、前記閉位置で、前記ドアが撓み変形したときに、互いに係止されて前記ドアの前記水平スライド移動を阻止する折り返し部を、前記カバーと、該カバーに隣接する前記ドアの端部とにそれぞれ形成したことを特徴とする。
【０００７】
請求項２の発明は、請求項１において、前記ドアを、前記水平スライド移動可能であって前記閉位置で互いに隣接して前記開口部を閉鎖可能な複数のドアで構成し、該複数のドアの内の一のドアで前記カバーの一部を形成して、前記折り返し部を、前記一のドアの端部と、該端部に隣接する他の前記ドアの端部とにそれぞれ形成したことを特徴とする。
【発明の効果】
【０００８】
請求項１の発明に係る工作機械におけるドアの固定構造によれば、例えば工作機械の作動中に、ワークが加工空間からドアに向けて移動することで、閉位置におけるドアが、ワークから加えられる力で撓み変形した場合でも、カバーと該カバーに隣接するドアの端部とにそれぞれ形成した折り返し部同士が係止されると、ドアの水平スライド移動を阻止できる。したがって、前記折り返し部同士を係止させるという簡単な構造によって、ドアを閉位置で固定することが可能になる。
請求項２の発明によれば、例えば工作機械の作動中に、ワークが加工空間から各ドア（一のドア及び他のドア）に向けて移動することで、閉位置における各ドアが、ワークから加えられる力で撓み変形した場合でも、各ドアの端部に形成した折り返し部同士が係止されると、各ドアの水平スライド移動を阻止できる。したがって、各ドアの折り返し部同士を係止させるという簡単な構造によって、各ドアを閉位置で固定することが可能になる。
【図面の簡単な説明】
【０００９】
【図１】本発明の実施形態で前カバーに設けた開口部を開放した立形旋盤の全体斜視図である。
【図２】左側ドアと右側ドアとによって同開口部を閉鎖した同立形旋盤の斜視図である。
【図３】同開口部を閉鎖した左側ドア及び右側ドアの要部横断面図である。
【発明を実施するための形態】
【００１０】
本発明の実施形態を図１ないし図３を参照しつつ説明する。図１及び図２に示す立形旋盤１は、べッド２と、コラム３と、クロスレール４と、サドル５と、前カバー６と、横カバー７と、後カバー８と、左側ドア９と、右側ドア１０とを備えている。なお、立形旋盤１は本発明の工作機械の一例である。
【００１１】
図１に示すようにベッド２の上面には、円形のターンテーブル１１が設けられている。このターンテーブル１１の上面には、例えば円筒形のワークＷが着脱自在に固定される。さらにコラム３，３は、ベッド２の左右の側面に連結された状態でそれぞれ立設されている。そしてクロスレール４は、立形旋盤１の左右方向に水平な状態で、コラム３，３の間に架設されている。加えてこのクロスレール４は、各コラム３の前面を立形旋盤１の上下方向へ移動可能に設けられている。またサドル５は、クロスレール４の前面に前記左右方向へ移動可能に設けられている。図１に示すようにサドル５の下端には、ワークを加工する工具（図示せず。）を装着可能なラム１２が、前記上下方向へ移動可能に設けられている。
【００１２】
図２に示すようにサドル５の前側でベッド２の前面には、開口部１３（図１参照。）を設けた前カバー６が立設されている。さらに図１及び図２に示すようにベッド２の上面で該ベッド２の側部に、横カバー７，７が、開口部１３の左右の両縁部に沿って立設されている。加えて図１に示すように、ベッド２の上面で該ベッド２の後面に、横カバー７，７に当接する後カバー８が、ターンテーブル１１の形状に合わせて中央部がベッド２の後方へ突出する円弧状に立設されている。本実施形態の立形旋盤１では、前カバー６と、横カバー７，７と、後カバー８と、後述の左側ドア９及び右側ドア１０とで取り囲まれたベッド２上の空間が、ワークＷの加工空間１５となる。なお、ベッド２は本発明の工作機械の本体の一例であり、前カバー６、横カバー７，７、後カバー８は、本発明のカバーの一例である。
【００１３】
図１及び図２に示すように、前カバー６の前方に、前記開口部１３を開閉するための左側ドア９及び右側ドア１０が、立形旋盤１の左右方向へ水平スライド移動可能に設けられている。左側ドア９及び右側ドア１０は、鋼板によって成形されている。図２には、左側ドア９と右側ドア１０とを、互いに隣接させて開口部１３（図１参照。）が閉鎖される閉位置Ｐに配置した状態を示した。図２に示すように立形旋盤１では、前記左右方向に延びるガイドレール１７が、ベッド２の前面に連結された状態で設けられ、該ガイドレール１７上を転動可能なローラ１８，１８が、各ドア９，１０の下端部に設けられている。各ドア９，１０は、前記ガイドレール１７上を転動するローラ１８，１８により、前記左右方向へスライド移動可能となる。例えば、左側ドア９又は右側ドア１０のいずれか一方のドアで開口部１３の一部（左半分又は右半分）を閉鎖すれば、該一方のドアも、前カバー６、横カバー７，７、後カバー８と共に開口部１３の他の一部（右半分又は左半分）を残して加工空間１５を外側から覆うことになる。これにより、前記一方のドアは本発明のカバーの一部を形成することになる。なお、左側ドア９及び右側ドア１０は本発明の複数のドアの一例である。また、左側ドア９又は右側ドア１０のいずれか一方は本発明の一のドアの一例であり、他方は本発明の他のドアの一例である。
【００１４】
そして各ドア９，１０は、上端部が自由で下端部がローラ１８，１８によってガイドレール１７に支持された片持ち支持状態とされている。さらに、各ドア９，１０の前面に、閉位置Ｐで各ドア９，１０の外側から加工空間１５内を透視可能な窓１９，１９が設けられており、各ドア９，１０の前面に、取っ手２０が各ドア９，１０の前方へ向けて突設されている。なお、各ドア９，１０の下端部は片持ち支持側に当たる。
【００１５】
さらに図３に示すように左側ドア９の右側縁部に、該左側ドア９の裏面９Ａ側へ折り返して該裏面９Ａと略直交する方向に延びる第１折り返し部２２が形成されている。この第１折り返し部２２の先端縁部に、該先端縁部から前記裏面９Ａと平行な方向で左側ドア９の左側に折り返された第２折り返し部２３が形成されている。加えて図３に示すように板金２４が、左側ドア９の裏面９Ａで第２折り返し部２３よりも左側の部位に溶接固定されている。この板金２４の右側縁部に、前記裏面９Ａと略直交する方向に前記第１折り返し部２２よりも長く延びる第３折り返し部２５が形成されている。そして第３折り返し部２５の先端縁部に、前記裏面９Ａと平行な方向で右側ドア１０側（左側ドア９の右側）に折り返された第４折り返し部２６が形成されている。この第４折り返し部２６の先端縁部は、前記裏面９Ａと略直交する方向で左側ドア９の右側縁部と略同一線上に位置する。さらには、第４折り返し部２６の先端縁部に、左側ドア９の前面９Ｂ側へ折り返されて該第４折り返し部２６と略直交する方向に延びる第５折り返し部２７が形成されている。
【００１６】
一方図３に示すように右側ドア１０の左側縁部に、該右側ドア１０の裏面１０Ａ側へ折り返して該裏面１０Ａと略直交する方向に延びる第６折り返し部２９が形成されている。この第６折り返し部２９は、図３に示すように閉位置Ｐにおいて、前記裏面１０Ａと略直交する方向で、左側ドア９の第１折り返し部２２よりも長く且つ第３折り返し部２５よりも短くなるように延設した。さらに第６折り返し部２９の先端縁部に、閉位置Ｐで、該先端縁部から左側ドア９の裏面９Ａと平行な方向で左側ドア９側（右側ドア１０の左側）に折り返された第７折り返し部３０が形成されている。この第７折り返し部３０は、閉位置Ｐで、第２折り返し部２３と対向し、前記裏面９Ａと平行な方向において左側ドア９の第２折り返し部２３や第５折り返し部２７を越えて第３折り返し部２５の手前まで延びている。加えて第７折り返し部３０の先端縁部に、閉位置Ｐで、左側ドア９の前面９Ｂ側へ折り返されて該第７折り返し部３０と略直交する方向に延びる第８折り返し部３１が形成されている。図３に示すように第７折り返し部３０を、裏面９Ａと平行な方向で、前記第２折り返し部２３を越えて第３折り返し部２５の手前まで延ばしたため、該第７折り返し部３０に形成した第８折り返し部３１は、前記裏面９Ａと平行な方向において、第２折り返し部２３と第３折り返し部２５との間に位置する。
【００１７】
さらには図３に示すように、板金３３が、左側ドア９の第５折り返し部２７と対向させて前記第７折り返し部３０に溶接固定されている。この板金３３の幅寸法は、第７折り返し部３０の延設長と同じにした。そして板金３３の左側縁部に、閉位置Ｐで、左側ドア９の裏面９Ａ側へ折り返されて、第７折り返し部３０の延設方向と略直交する方向で第５折り返し部２７の手前まで延びる第９折り返し部３４が形成されている。図示するように板金３３の左側縁部は、裏面９Ａと平行な方向で、第３折り返し部２５と第５折り返し部２７との間に位置することから、該左側縁部に形成した第９折り返し部３４も、裏面９Ａと平行な方向で、第３折り返し部２５と第５折り返し部２７との間に位置することになる。また板金３３の右側縁部に、右側ドア１０の裏面１０Ａ側へ折り返して、閉位置Ｐで、第７折り返し部３０の延設方向と略直交する方向に延びる第１０折り返し部３５が形成されている。なお、右側ドア１０の左側縁部は本発明の一のドアの端部あるいは他のドアの端部の一例であり、左側ドア９の右側縁部、第４折り返し部２６の先端縁部は本発明の他のドアの端部あるいは一のドアの端部の一例である。
【００１８】
本実施形態では、左側ドア９及び右側ドア１０は、ガイドレール１７に片持ち支持されているため、該ガイドレール１７に対する支持が不安定になる可能性がある。このため、加工空間１５から左側ドア９又は右側ドア１０に向けて移動したワークＷから加えられる力で、閉位置Ｐにおける左側ドア９又は右側ドア１０のいずれかが撓み変形した後に水平スライド移動することが考えられる。このような場合でも、以下に説明するように、閉位置Ｐで、左側ドア９及び右側ドア１０を固定できる。例えば立形旋盤１の作動中に、加工空間１５に設けられたターンテーブル１１上のワークＷ（図１参照。）が倒れて左側ドア９の裏面９Ａを押すと、左側ドア９は、その下端部を支点として該左側ドア９の前方へ向けて撓み変形する。これにより、図３に示す左側ドア９の第５折り返し部２７も、該第５折り返し部２７と対向する板金３３に向けて移動する。そして前記ワークＷから裏面９Ａに加えられた力で左側ドア９が、右側ドア１０から離間する方向（左側ドア９の左側）へ水平スライド移動しようとすると、第５折り返し部２７は、前記板金３３の第９折り返し部３４に引っ掛け係止される。よって、左側ドア９が右側ドア１０から離間する方向へ水平スライド移動することが阻止される。したがって、前記ワークＷが左側ドア９の裏面９Ａを押した場合でも、閉位置Ｐで左側ドア９と右側ドア１０とを固定できる。なお、第５折り返し部２７及び第９折り返し部３４は本発明の折り返し部の一例である
【００１９】
また、立形旋盤１の作動中に、ターンテーブル１１上のワークＷが倒れて右側ドア１０の裏面１０Ａを押すと、右側ドア１０は、その下端部を支点として該右側ドア１０の前方へ向けて撓み変形する。これにより、図３に示す右側ドア１０の第７折り返し部３０も、該第７折り返し部３０と対向する第２折り返し部２３に向けて移動する。すると、第７折り返し部３０に形成され第８折り返し部３１は、第２折り返し部２３の延設端と第３折り返し部２５との間に移動する。そして前記ワークＷから裏面１０Ａに加えられた力で右側ドア１０が、左側ドア９から離間する方向（右側ドア１０の右側）へ水平スライド移動しようとすると、第８折り返し部３１は、第２折り返し部２３の延設端に突き当て係止される。よって、右側ドア１０が左側ドア９から離間する方向へ水平スライド移動することが阻止される。したがって、前記ワークＷが右側ドア１０の裏面１０Ａを押した場合でも、閉位置Ｐで左側ドア９と右側ドア１０とを固定できる。なお、第２折り返し部２３及び第８折り返し部３１は本発明の折り返し部の一例である。
【００２０】
＜本実施形態の効果＞
本実施形態では、立形旋盤１の作動中に、ターンテーブル１１上のワークＷが倒れて左側ドア９の裏面９Ａを押すことで、閉位置Ｐにおける左側ドア９が、該左側ドア９の前方へ向けて撓み変形した場合でも、左側ドア９の第５折り返し部２７が右側ドア１０の第９折り返し部３４に引っ掛け係止されると、左側ドア９が右側ドア１０から離間する方向へ水平スライド移動することが阻止される。また、前記ワークＷが倒れて右側ドア１０の裏面１０Ａを押すことで、閉位置Ｐにおける右側ドア１０が、該右側ドア１０の前方へ向けた撓み変形した場合でも、右側ドア１０の第８折り返し部３１が左側ドア９の第２折り返し部２３の延設端に突き当て係止されると、右側ドア１０が左側ドア９から離間する方向へ水平スライド移動することが阻止される。したがって、左側ドア９の第５折り返し部２７を右側ドア１０の第９折り返し部３４に引っ掛け係止させるという簡単な構造や、右側ドア１０の第８折り返し部３１を左側ドア９の第２折り返し部２３の延設端に突き当て係止させるという簡単な構造によって、左側ドア９と右側ドア１０とを閉位置Ｐで固定することが可能になる。
【００２１】
本発明は、上述した実施形態に限定されるものではなく発明の趣旨を逸脱しない範囲内において構成の一部を適宜変更して実施できる。上述した実施形態では、板金２４を左側ドア９の裏面９Ａに溶接固定したり、板金３３を右側ドア１０の第７折り返し部３０に溶接固定しているが、これに代えて、板金２４を前記裏面９Ａにネジ止めされた状態で固定したり、板金３３を前記第７折り返し部３０にネジ止めされた状態で固定してもよい。また上述した実施形態では、各ドア９，１０の下端部を立型旋盤１のガイドレール１７に片持ち支持した例を示したが、これに限らない。例えば各ドア９，１０の上端部及び下端部をガイドレールに対して水平スライド移動可能に支持させて、ワークから加えられる力で各ドア９，１０のいずれかが撓み変形して水平スライド移動した場合でも、上述の第５折り返し部２７、第９折り返し部３４、第８折り返し部３１、第２折り返し部２３を用いることにより、閉位置Ｐで各ドア９，１０を固定してもよい。さらに上述した実施形態では、左側ドア９と右側ドア１０とで開口部１３を開閉可能としたが、これとは異なり例えば、ガイドレールに片持ち支持させて水平スライド移動可能な一つのドアによって開口部１３を開閉可能としてもよい。この場合には、閉位置Ｐで、前カバー６の側縁部に形成した折り返し部と、該側縁部に隣接する前記一つのドアの側縁部に形成した折り返し部とを引っ掛け係止させることで、前記一つのドアが前記前カバー６から離間する方向へ水平スライド移動することを阻止してもよい。このように前カバー６の折り返し部と一つのドアの折り返し部とを引っ掛け係止させるという簡単な構造で、一つのドアを前カバー６に固定することが可能になる。さらに加えて前記一つのドアは、カイドレールに片持ち支持させるものに限らず、該一つのドアの上端部及び下端部をガイドレールに対して水平スライド移動可能に支持させるものであってもよい。
【符号の説明】
【００２２】
１・・立形旋盤、２・・ベッド、６・・前カバー、７・・横カバー、８・・後カバー、９・・左側ドア、１０・・右側ドア、１３・・開口部、１５・・加工空間、２３・・第２折り返し部、２７・・第５折り返し部、３１・・第８折り返し部、３４・・第９折り返し部、Ｐ・・閉位置、Ｗ・・ワーク。
【図１】
2014094419.tif 000003
【図２】
2014094419.tif 000004
【図３】
2014094419.tif 000005